(57)【要約】【課題】摩擦抵抗を少なくし、静電気の発生を防止し繊維の毛羽立ちを抑え、帯電防止剤を添加することでの相乗効果で、衣服に発生する毛玉、汚れホコリの付着などを防ぐことができる潤滑機能付帯電防止具を提供する。【解決手段】潤滑機能付帯電防止具１０は、特殊ウレタンスポンジ１１に混錬部材１２を含浸固化させて形成されている。混錬部材１２は、複数の素材をバインダーで混錬したものである。複数の素材は、フッ素樹脂、シリコン樹脂、及び帯電防止剤であり、バインダーは、アクリルエマルジョン樹脂である。潤滑機能付帯電防止具１０は、衣類などの製品の表面を摺動することで混錬部材１２に含まれるフッ素樹脂、シリコン樹脂、及び帯電防止剤の微量が、衣類などの製品の表面に転写され、帯電防止効果、潤滑効果、付着防止効果などの特徴を有している。【選択図】図１
0003219810.tif 000002
【実用新案登録請求の範囲】
【請求項１】
本体部に混錬部材を含浸固化させて、前記本体部と前記混錬部材が一体となるように形成された潤滑機能付帯電防止具であって、
前記混錬部材は、複数の素材をバインダーで混錬したものであることを特徴とする潤滑機能付帯電防止具。
【請求項２】
前記本体部は、スポンジ、特殊ウレタンスポンジ、不織布、または超極細繊維であり、
前記複数の素材は、フッ素樹脂、シリコン樹脂、及び帯電防止剤であり、
前記バインダーは、アクリルエマルジョン樹脂であり、
製品の表面の帯電を防止するために用いることを特徴とする請求項１に記載の潤滑機能付帯電防止具。
【請求項３】
前記製品は、布、ステンレス、アルミ、真鍮、シルバー、鉄、ガラス、鏡、人工を含む大理石、タイルプラスチック、未塗装素材を含む木材、紙製品、レザーを用いたものであることを特徴とする請求項２に記載の潤滑機能付帯電防止具。
【請求項４】
前記製品は、被服、障子、襖、家具引き出し、メガネ、スマホ、自動車ガラス、シューズであることを特徴とする請求項２に記載の潤滑機能付帯電防止具。
【請求項５】
前記製品は、被服であり、前記帯電による毛玉の発生を抑制することを特徴とする請求項４に記載の潤滑機能付帯電防止具。
【考案の詳細な説明】
【技術分野】
【０００１】
本考案は、潤滑機能付帯電防止具に関する。
【背景技術】
【０００２】
従来、繊維が擦れ合うことにより、表面の細かい繊維が起毛毛羽立ちし、それらが絡み合い帯電に起因して毛玉が発生してしまうということがある。上記の帯電とは、例えばプラスチックの棒を布で摩擦すると棒は軽い物体を吸引するようになり棒が帯電していることが分かる。物体は無数の原子から構成されており原子は正の電気をもつ原子核と負の電気をもつ電子群とを有し、通常は正の電気と負の電気の量は等しく電気的に中性を保っているが、摩擦によって物体表面の電子の一部が移動し、正の電気と負の電気の量的なバランスが崩れ物体は正に帯電する。このような帯電を防止するために、係止部材が形成された導電性を有する基体に針状電極を該針状電極の先端が基体に近接した空中に位置するように固着支持する帯電防止具が開示されている。
【先行技術文献】
【特許文献】
【０００３】
【特許文献１】実開平６−５１９８号公報
【考案の概要】
【考案が解決しようとする課題】
【０００４】
上記のとおり繊維が擦れ合うことにより、表面の細かい繊維が起毛毛羽立ちし、それらが絡み合い毛玉が発生するという問題があり、また、静電気も同時に発生し、汚れホコリ等の付着、さらに細い起毛した繊維同士がからみ合うことになり毛玉が発生し、大切な衣類が使用不可となるという問題がある。従来の技術においては、このような毛玉の発生を抑制するものはなく、より効果的に毛玉の発生を抑制する帯電防止具が求められていた。
【０００５】
そこで本考案は、このような課題を解決するためになされたもので、摩擦抵抗を少なくし、静電気の発生を防止し繊維の毛羽立ちを抑え、帯電防止剤を添加することでの相乗効果で、衣服に発生する毛玉、汚れホコリの付着などを防ぐことができる潤滑機能付帯電防止具を提供するものである。
【課題を解決するための手段】
【０００６】
上記課題を解決するために、本考案に係る潤滑機能付帯電防止具は、本体部に混錬部材を含浸固化させて、前記本体部と前記混錬部材が一体となるように形成された潤滑機能付帯電防止具であって、前記混錬部材は、複数の素材をバインダーで混錬したものであることを特徴とする。
【０００７】
本考案に係る潤滑機能付帯電防止具の態様について、前記本体部は、スポンジ、特殊ウレタンスポンジ、不織布、または超極細繊維であり、前記複数の素材は、フッ素樹脂、シリコン樹脂、及び帯電防止剤であり、前記バインダーは、アクリルエマルジョン樹脂であり、製品の表面の帯電を防止するために用いることが好ましい。
【０００８】
本考案に係る潤滑機能付帯電防止具の態様について、前記製品は、布、ステンレス、アルミ、真鍮、シルバー、鉄、ガラス、鏡、人工を含む大理石、タイルプラスチック、未塗装素材を含む木材、紙製品、レザーなどを用いたものであることが好ましい。
【０００９】
本考案に係る潤滑機能付帯電防止具の態様について、前記製品は、被服、障子、襖、家具引き出し、メガネ、スマホ、自動車ガラス、シューズなどであることが好ましい。
【００１０】
本考案に係る潤滑機能付帯電防止具の態様について、前記製品は、被服であり、前記帯電による毛玉の発生を抑制することが好ましい。
【考案の効果】
【００１１】
本考案によれば、摩擦抵抗を少なくし、静電気の発生を防止し繊維の毛羽立ちを抑え、帯電防止剤を添加することでの相乗効果で、衣服に発生する毛玉、汚れホコリの付着などを防ぐことができる潤滑機能付帯電防止具を提供することができる。
【図面の簡単な説明】
【００１２】
【図１】実施形態の潤滑機能付帯電防止具の一例を示す模式図である。
【考案を実施するための形態】
【００１３】
以下、本考案の実施形態を、図１を用いて説明する。図１に示す潤滑機能付帯電防止具１０は、主に、製品の表面の帯電を防止するために用いるものである。
【００１４】
潤滑機能付帯電防止具１０は、主に、製品の表面の帯電を防止するために、本体部に混錬部材を含浸固化させて、本体部と混錬部材が一体となるように形成されており、乾式繊維潤滑帯電防止転写コート剤といえるものである。
【００１５】
この例において、潤滑機能付帯電防止具１０は、製品の一例である化粧パフスポンジなどに使用されている特殊ウレタンスポンジ１１を使用しており、このようなスポンジは、丈夫でソフトタッチで相手素材にフィットするものである。また、特殊ウレタンスポンジ１１は、ウレタン樹脂発泡品であり、のびや強度に優れたものであり、目が細かく乳化した部材を含浸しやすく良好に保持できるものである。
【００１６】
潤滑機能付帯電防止具１０は、特殊ウレタンスポンジ１１に、混錬部材１２が含浸されて固化されたものであり、混錬部材１２は、複数の素材をバインダーで混錬したものである。なお、特殊ウレタンスポンジ１１は、上記のとおり本体部の一例でありこれに限定されず、例えば、スポンジ、不織布、超極細繊維など適宜最適な素材を選択すればよい。
【００１７】
上記の複数の素材は、例えば、フッ素樹脂、シリコン樹脂、及び帯電防止剤であり、また、上記のバインダーは、アクリルエマルジョン樹脂である。上記の混錬部材１２は一例であり、混錬部材１２は、本考案の目的である潤滑機能、帯電防止機能などを有する構成であればよい。
【００１８】
フッ素樹脂は、例えば、フライパンの焦げ付き防止など食品加工機に使用されており安全性に問題のないものであり、製品の表面をコーティングして保護する膜としての機能を有するものである。シリコン樹脂は、例えば、食品の消泡剤、化粧品などに使用されており安全性に問題のないものであり、不揮発性で滑りをよくするものである。帯電防止剤は、例えば、ボロンなどを用いた帯電防止用活性剤である。また、アクリルエマルジョン樹脂は、一般には幅広く食品ケースなどに使用されており固化されており有害なものではなく、バインダーとしての機能を有するものである。
【００１９】
上記の潤滑機能付帯電防止具１０を用いて潤滑、帯電防止が行われる製品としては、布、ステンレス、アルミ、真鍮、シルバー、鉄、ガラス、鏡、人工を含む大理石、タイルプラスチック、未塗装素材を含む木材、紙製品、レザーを用いたものであるが、これらに限定されず適宜対象の製品を選択すればよい。
【００２０】
また、製品としては、被服、障子、襖、家具引き出し、メガネ、スマホ、自動車ガラス、シューズなどであるが、これに限定されず適宜最適なものを選択すればよい。
【００２１】
潤滑機能付帯電防止具１０は、特に、帯電による毛玉の発生を抑制し、毛玉の発生がないようにすることができるという顕著な効果を有しており、例えば、毛糸セーター、ニット、パイル地の毛羽立ち、毛玉、汚れホコリの付着などを抑えることができ、表面を整え滑らかにし、色調がよくなるという効果を有している。
【００２２】
また、通常のブラシで帯電防止具１０を用いて衣類をブラッシングする場合には、毛羽立ちし、静電気が発生しやすいが、潤滑機能付帯電防止具１０を用いることにより、例えば、フッ素含浸スポンジを使用することで摩擦による抵抗が少なく、繊維に極薄でコートを生じさせることができる。
【００２３】
このように潤滑機能付帯電防止具１０を用いることで、例えば、衣類の帯電防止を発揮し、衣類の表面の汚れホコリの付着防止を有するという顕著な効果を奏することができ、また、皮革製品など各種用として素材面の潤滑、防汚、防カビ防水、帯電防止などを有する優れたものである。
【００２４】
上記の特徴を有する潤滑機能付帯電防止具１０は、衣類などの製品の表面を摺動、つまり当接し動かすことで潤滑機能付帯電防止具１０の混錬部材１２フッ素樹脂、シリコン樹脂、及び帯電防止剤の微量が、製品の表面に転写され、帯電防止効果、潤滑効果、付着防止効果などを図ることができる。
【００２５】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２６】
また、本考案の潤滑機能付帯電防止具の大きさや形状、素材の厚さ、重さなどについては多様な実施形態が可能であり、それらについて本実施形態と異なる形態による実施は、本考案の技術的範囲に含まれる。
【符号の説明】
【００２７】
１０      潤滑機能付帯電防止具
１１      特殊ウレタンスポンジ
１２      混練部材
【図１】
0003219810.tif 000003